(57)【要約】      （修正有）【課題】複数のユーザによって共用される処理装置を，手間を掛けることなく，あたかも個々の専用処理装置のように動作させる生体認証対応処理装置を提供する。【解決手段】タブレット端末装置１に表示されているアイコンがタップされることで，アプリケーションの起動命令が与えられるとともに，タップされた指の指紋が取得される５１、５２。あらかじめ登録されている指紋と照合することでアイコンをタップしたユーザが認証される５４。認証が成功すると，上記指紋に関連付けられているサイト要求情報が読み出され，その後のログイン処理などに用いられる５６、５７。【選択図】図７
2017033499.tif 000002
【特許請求の範囲】
【請求項１】
ネットワークに接続されて用いられ，
ユーザによって与えられる処理命令を受付ける命令受付手段，
上記命令受付手段によって処理命令が受付けられるときに上記ユーザの生体情報を取得する生体情報取得手段，
生体情報とサイト要求情報とを関連付けて記憶する記憶手段，
上記生体情報取得手段によって取得された生体情報と上記記憶手段に記憶されている生体情報を比較することによって，上記処理命令を与えたユーザを認証する認証手段，ならびに
上記認証手段による認証が成功したときに，上記生体情報に関連付けられているサイト要求情報を上記記憶手段から読出す読出し手段を備えている，
生体認証対応処理装置。
【請求項２】
上記読出し手段によって読み出されたサイト要求情報を，ネットワークを通じて送信する送信手段を備えている，
生体認証対応処理装置。
【請求項３】
上記記憶手段には上記生体情報に複数のサイト要求情報が関連付けられて記憶されており，
上記生体情報に関連付けられている複数のサイト要求情報のうち，与えられる処理命令に対応するサイト要求情報が，上記読出し手段によって記憶手段から読み出される，
請求項１または２のいずれか一項に記載の生体認証対応処理装置。
【請求項４】
表示装置および上記表示装置の表示画面に形成されたタッチパネルを備え，
上記生体情報取得手段が上記表示画面に形成された指紋センサである，
請求項１から３のいずれか一項に記載の生体認証対応処理装置。
【請求項５】
上記認証手段による認証ができないときに，上記処理命令に基づく処理を終了する終了手段を備えている，
請求項１から４のいずれか一項に記載の生体認証対応処理装置。
【請求項６】
上記生体情報取得手段によって取得される生体情報の取得のときからの経過時間を計測するタイマを備え，
生体情報の取得から一定時間が経過したときに，再度の生体情報の取得を要求する手段を備えている，
請求項１から５のいずれか一項に記載の生体認証対応処理装置。
【請求項７】
ネットワークを通じて互いに接続される生体情報取得装置と生体情報認証装置とを備え，
上記生体情報取得装置は，
ユーザによって与えられる処理命令を受付ける命令受付手段，
上記命令受付手段によって処理命令が受け付けられるときに上記ユーザの生体情報を取得する生体情報取得手段，ならびに
生体情報取得手段によって取得された生体情報を上記生体情報認証装置に送信する生体情報送信手段を備え，
上記生体情報認証装置は，
上記生体情報取得装置から送信される生体情報を受信する受信手段，
生体情報とサイト要求情報とを関連付けて記憶する記憶手段，
上記受信手段によって受信された生体情報と上記記憶手段に記憶されている生体情報を比較することによって，上記生体情報取得装置に処理命令を与えたユーザを認証する認証手段，ならびに
上記認証手段による認証が成功したときに，上記生体情報に関連付けられているサイト要求情報を上記生体情報取得装置に送信するサイト要求情報送信手段を備えている，
生体認証対応システム。
【請求項８】
ユーザが生体情報取得装置に処理命令を与えたときに上記生体情報取得装置によって取得され，上記生体情報取得装置から送信される上記ユーザの生体情報を受信する受信手段，
生体情報とサイト要求情報とを関連付けて記憶する記憶手段，
上記受信手段によって受信された生体情報と上記記憶手段に記憶されている生体情報を比較することによって，上記生体情報取得装置に処理命令を与えたユーザを認証する認証手段，および
上記認証手段による認証が成功したときに，上記生体情報に関連付けられているサイト要求情報を上記生体情報取得装置に送信するサイト要求情報送信手段を備えている，
生体情報認証装置。
【請求項９】
上記生体情報取得装置と上記生体情報認証装置との間の通信に，近距離無線通信装置が用いられる，
請求項８に記載の生体情報認証装置。
【請求項１０】
コンピュータに，
ユーザによって与えられる処理命令を受付けたときに上記ユーザの生体情報を取得する処理と，
取得した生体情報を用いて上記ユーザを認証する処理と，
認証が成功した場合に，上記生体情報に関連付けられて記憶装置に記憶されている上記ユーザに固有の情報を上記記憶装置から読み出す処理と，を実行させることを特徴とする，
プログラム。
【請求項１１】
ユーザによって与えられる処理命令を受付ける命令受付手段，
上記命令受付手段によって処理命令が受付けられたときに上記ユーザの生体情報を取得する生体情報取得手段，
上記生体情報と上記処理命令の内容とを関連付けて記憶する記憶手段，
上記生体情報取得手段によって取得された生体情報と上記記憶手段に記憶されている生体情報を比較することによって，上記処理命令を与えたユーザを認証する認証手段，ならびに
上記認証手段による認証が成功したときに，上記生体情報に関連付けて上記処理命令の内容を上記記憶手段に記憶するように制御する記憶制御手段を備えている，
生体認証対応処理装置。
【請求項１２】
コンピュータに，
ユーザによって与えられる処理命令を受付けたときに上記ユーザの生体情報を取得する処理と，
取得した生体情報を用いて上記ユーザを認証する処理と，
認証が成功した場合に，上記処理命令の内容を上記生体情報に関連付けて記憶装置に記憶する処理と，を実行させることを特徴とする，
プログラム。
【発明の詳細な説明】
【技術分野】
【０００１】
この発明は生体認証対応処理装置および生体認証対応システム，ならびに生体認証処理プログラムに関する。
【背景技術】
【０００２】
メールサイトを利用して電子メールを閲覧したり，ショッピングサイトを利用して商品を購入したり，インターネットバンキングサイトを利用して残高照会をおこなったりする場合には，一般にサイトごとに固有のユーザＩＤ，パスワード等を入力してログインしなければならない。
【０００３】
通信プログラム（たとえばブラウザ）の機能によって，サイトごとに固有のユーザＩＤ等をパーソナルコンピュータに記憶させておくことができ，そうすることでユーザＩＤ等の再度の入力の手間を省くことができる。しかしながら，この場合にはパーソナルコンピュータを使用する者が基本的には特定の人物であることを前提にする。１台のパーソナルコンピュータを使用する者が複数人いれば，かえって悪用される可能性も生じる。
【０００４】
特許文献１は，指紋を用いた個人認証が成功したときにパーソナルコンピュータを使用できるようにし，個人認証が成功しなかったときにはパーソナルコンピュータを使用できないようにするものを記載する。これを用いれば，パーソナルコンピュータを使用する者を特定の人物に限定することができる。しかしながら，この場合も，パーソナルコンピュータを使用する者が特定の人物である必要があることに変わりはない。
【先行技術文献】
【特許文献】
【０００５】
【特許文献１】特開２００１−１２５７３４号公報
【０００６】
この発明は，複数のユーザによって共用される処理装置を，手間をかけることなく，あたかも個々のユーザの専用の処理装置のように動作させることができるようにすることを目的とする。
【０００７】
この発明はまた，サイトごとに固有のユーザＩＤ等の入力の手間を省くことができるようにすることを目的とする。
【０００８】
この発明はさらに，処理装置を使用するユーザが複数いても，現実に使用しているユーザを特定することができ，そのユーザに固有のユーザＩＤ等の入力を省略化することができるようにすることを目的とする。
【０００９】
第１の発明による生体認証対応処理装置は，ネットワークに接続されて用いられるものであって，ユーザによって与えられる処理命令を受付ける命令受付手段，上記命令受付手段によって処理命令が受付けられるときに上記ユーザの生体情報を取得する生体情報取得手段，上記生体情報とサイト要求情報とを関連付けて記憶する記憶手段，上記生体情報取得手段によって取得された生体情報と上記記憶手段に記憶されている生体情報を比較することによって，上記処理命令を与えたユーザを認証する認証手段，ならびに上記認証手段による認証が成功したときに，上記生体情報に関連付けられているサイト要求情報を上記記憶手段から読出す読出し手段を備えている。
【００１０】
好ましくは，生体認証対応処理装置は，上記読出し手段によって読み出されたサイト要求情報を，ネットワークを通じて送信する送信手段を備えている。
【００１１】
一実施態様では，上記ユーザによって与えられる処理命令は，上記処理装置の記憶手段（上記生体情報とサイト要求情報とを関連付けて記憶する記憶手段と同一の記憶手段でも別の記憶手段でもよい）に記憶されるアプリケーション・プログラムを起動するための起動命令である。ユーザによってアプリケーション・プログラムの起動命令が与えられると，そのときに，生体情報取得手段によって，起動命令を与えたユーザの生体情報が取得される。
【００１２】
他の実施態様では，上記ユーザによって与えられる処理命令は決済命令（支払い処理命令）である。決済命令は，たとえばインターネット・ショッピングサイトで商品を購入するときにユーザによって処理装置に与えられる。典型的には「注文確定」ボタンを選択することによって処理装置に決済命令が与えられ，決済命令には一般にはクレジットカード番号を含むクレジットカード情報が含まれる。ユーザによって決済命令が与えられると，そのときに，生体情報取得手段によって，決済命令を与えたユーザの生体情報が取得される。
【００１３】
第１の発明によると，生体情報を用いた認証が成功すると，認証に用いられた生体情報に関連付けられて記憶手段に記憶されているサイト要求情報，たとえばログイン情報（ユーザアカウント，ユーザＩＤなど），クレジットカード番号などが読み出される。サイトから要求されるログイン情報，クレジットカード番号などを入力する手間を省くことができる。生体情報を用いたユーザ認証が成功することを条件にしてサイト要求情報は記憶手段から読み出され，さらにサイト要求情報は生体情報と関連付けられて記憶手段に記憶されているので，生体認証対応処理装置を使用するユーザが複数いるとしても，生体認証対応処理装置に処理命令を入力した特定のユーザに固有のサイト要求情報を，記憶手段から読み出すことができる。
【００１４】
記憶手段から読み出されたサイト要求情報は，与えられる処理命令にしたがって動作する処理装置のその後の処理に用いられる。たとえば処理命令がアプリケーション・プログラムの起動命令であれば，起動されるアプリケーション・プログラムにしたがう通信，たとえば処理装置から特定サイトへのデータ送信に，読み出されたサイト要求情報を含ませることができる。サイト要求情報を受信したサイト（サイトを運営するコンピュータ装置など）では処理装置から送信されるサイト要求情報に基づいて，ログイン処理，クレジットカード決済処理，その他の処理を実行することができる。
【００１５】
一例を説明する。処理命令が，電子メールを送受信するためのアプリケーション・プログラム（メーラー）の起動命令であるとする。メーラーの起動命令が与えられると，その起動命令を与えたユーザが生体情報によって特定され，そのユーザに固有のサイト要求情報たとえばユーザＩＤ（ユーザアカウント）およびパスワードが記憶手段から読み出される。読み出されたサイト要求情報は，メーラー（メーラーのプログラム記述，メーラーの設定データなど）にしたがって，メールサイト（メールサーバ）に送信される。したがって，あるユーザがメーラーの起動命令を与えた場合にはそのユーザ宛の電子メールをメーラーに表示させることができるし，別のユーザが起動命令を与えた場合であればその別のユーザ宛の電子メールをメーラーに表示させることができる。このように，この発明によると，生体認証対応処理装置が複数のユーザによって共用されているとしても，あたかも起動命令を与えたユーザの専用装置のように生体認証対応処理装置を動作させることができる。同様にして，たとえば処理命令がインターネットバンキングへのログイン指令であれば銀行口座番号とパスワードの組が記憶手段から読み出されてインターネットバンキングサイトに送信され，決済命令であればクレジットカード番号とパスワードの組が記憶手段から読み出されてインターネット・ショッピングサイトに送信される。ログイン指令，決済命令等を指示したユーザに固有の情報を送信することができ，生体認証対応処理装置を，ログイン指令，決済命令等を与えたユーザの専用装置のように動作させることができる。
【００１６】
生体認証対応処理装置に対して処理命令を与えると，それが（処理命令の入力が）生体情報の入力を兼ねることができる。したがってユーザは生体情報の入力を特段意識しないで済み，生体情報の入力に関してユーザに負担をかけないようにすることができる。
【００１７】
好ましくは，上記記憶手段には上記生体情報に複数のサイト要求情報が関連付けられて記憶されており，上記生体情報に関連付けられている複数のサイト要求情報のうち，与えられる処理命令に対応する（与えられる処理命令によって特定される）サイト要求情報が，記憶手段から読み出される。複数のサイト要求情報のうち，たとえば起動命令が与えられたアプリケーション・プログラムの種別に対応するサイト要求情報を，記憶手段から読み出すことができる。
【００１８】
一実施態様では，生体認証対応処理装置は，表示装置および上記表示装置の表示画面に形成されたタッチパネルを備え，上記生体情報取得手段が上記表示画面に形成された指紋センサである。タッチパネルおよび指紋センサが形成された表示画面に表示される，たとえばアイコンまたはボタンを指でタップまたはタッチすることによって，処理装置に処理命令（起動命令，決済命令など）を与えることができ，それと同時に，生体情報である指紋を指紋センサに取得させることができる。表示画面のタップを受け付けるだけで，生体認証対応処理装置を，上述のように，あたかもタップしたユーザの専用装置のように動作させることができる。サイト要求情報を入力する手間も省くこともできる。
【００１９】
生体認証は，指紋に限られず，その他の生体情報，たとえば声紋，掌紋，静脈，虹彩等を利用するものであってもよい。取得すべき生体情報に対応する取得手段が生体認証対応処理装置に設けられ，生体情報取得手段によって取得される生体情報が認証処理に用いられる。
【００２０】
一実施態様では，上記認証手段による認証ができないときに，上記処理命令に基づく処理を終了する終了手段を備えている。認証ができないときとは，生体情報取得手段によって取得された生体情報に対応する生体情報が記憶手段に記憶されていない状態のみならず，生体情報取得手段によって生体情報を取得することができない状態も含まれる。
【００２１】
他の実施態様では，上記生体情報取得手段によって取得される生体情報の取得のときからの経過時間を計測するタイマを備え，生体情報の取得から一定時間が経過したときに，再度の生体情報の取得を要求する手段を備えている。たとえば，再度同一の生体情報が取得された場合にはログインを継続し，取得できなかった場合にはログイン状態をやめる（ログオフする，プログラムを終了する）といった制御を実行することができる。処理装置の不正使用を未然に防止することができる。
【００２２】
この発明による生体認証対応システムは，ネットワークを通じて互いに接続される生体情報取得装置と生体情報認証装置とを備える。上記生体情報取得装置は，ユーザによって与えられる処理命令を受付ける命令受付手段，上記命令受付手段によって処理命令が受け付けられるときに上記ユーザの生体情報を取得する生体情報取得手段，ならびに生体情報取得手段によって取得された生体情報を上記生体情報認証装置に送信する生体情報送信手段を備える。上記生体情報認証装置は，上記生体情報取得装置から送信される生体情報を受信する受信手段，上記生体情報とサイト要求情報とを関連付けて記憶する記憶手段，上記受信手段によって受信された生体情報と上記記憶手段に記憶されている生体情報を比較することによって，上記生体情報取得装置に処理命令を与えたユーザを認証する認証手段，ならびに上記認証手段による認証が成功したときに，上記生体情報に関連付けられているサイト要求情報を上記生体情報取得装置に送信するサイト要求情報送信手段を備えている。
【００２３】
生体情報を取得する生体情報取得装置と，生体情報取得装置によって取得される生体情報を用いて認証処理をする生体情報認証装置とが，ネットワークによって接続された別々の装置である態様である。この発明においても，生体情報を用いた認証が成功したときに，生体情報に関連付けられて記憶手段に記憶されているサイト要求情報，たとえばログイン情報やクレジットカード番号などが読み出される。サイト要求情報を入力する手間を省くことができる。また，あたかも起動命令を与えたユーザの専用装置のように生体認証取得装置を動作させることができる。
【００２４】
この発明は，上記生体認証対応システムに用いることができる生体情報認証装置も提供する。この発明による生体情報認証装置は，ユーザが生体情報取得装置に処理命令を与えたときに上記生体情報取得装置によって取得され，上記生体情報取得装置から送信される上記ユーザの生体情報を受信する受信手段，生体情報とサイト要求情報とを関連付けて記憶する記憶手段，上記受信手段によって受信された生体情報と上記記憶手段に記憶されている生体情報を比較することによって，上記生体情報取得装置に処理命令を与えたユーザを認証する認証手段，および上記認証手段による認証が成功したときに，上記生体情報に関連付けられているサイト要求情報を上記生体情報取得装置に送信するサイト要求情報送信手段を備えている。
【００２５】
一実施態様では，上記生体情報取得装置と上記生体情報認証装置との間の通信に，近距離無線通信装置が用いられる。
【００２６】
他の実施態様では，上記生体情報取得装置にも，上記生体情報とサイト要求情報とを関連付けて記憶する記憶手段，および上記生体情報取得手段によって取得された生体情報と上記記憶手段に記憶されている生体情報を比較することによって，上記生体情報取得装置に処理命令を与えたユーザを認証する認証手段が設けられる。生体情報を用いた認証処理を，生体情報取得装置および生体情報認証装置の両方で行うことができる。この場合，生体情報取得装置には，生体情報取得装置が備える認証手段によって認証するか，生体情報認証装置が備える認証手段によって認証するかを選択する選択手段を設けてもよい。
【００２７】
一実施態様では，上記生体情報取得装置の送信手段は，生体情報を上記生体情報認証装置に送信するときに，上記生体情報取得装置の識別情報も送信するものであり，上記生体情報認証装置の記憶手段にはさらに，認証を許可する生体情報取得装置の識別情報および認証を許可する日時範囲がさらに記憶される。上記生体情報認証装置は，上記認証許可された（記憶手段に記憶されている）生体情報取得装置の識別情報が送信され，かつ上記認証が許可された日時範囲内の日時に生体情報取得装置から生体情報が送信されたときに，上記サイト要求情報を上記生体情報取得装置に送信する。すなわち，生体情報に基づくユーザ認証に加えて，特定の生体情報取得装置が用いられ，かつ特定の日時範囲に生体情報が送信されたときにだけ，サイト要求情報が生体情報取得装置に送信されることになる。サイト要求情報が不正に読み出される可能性を低めることができる。
【００２８】
第２の発明による生体認証対応処理装置は，ユーザによって与えられる処理命令を受付ける命令受付手段，上記命令受付手段によって処理命令が受付けられたときに上記ユーザの生体情報を取得する生体情報取得手段，上記生体情報と上記処理命令とを関連付けて記憶する記憶手段，上記生体情報取得手段によって取得された生体情報と上記記憶手段に記憶されている生体情報を比較することによって，上記処理命令を与えたユーザを認証する認証手段，ならびに上記認証手段による認証が成功したときに，上記生体情報に関連付けて上記処理命令の内容を上記記憶手段に記憶するように制御する記憶制御手段を備えている。ユーザによって与えられる処理命令の内容を，生体情報に関連付けて，すなわちユーザごとに，記憶手段に順次記憶することができる。
【００２９】
一実施態様では，上記処理命令が注文料理およびその個数を表わすデータを含む注文命令である。たとえば，複数のメンバを含むグループで飲食店を来訪したときに，メンバのそれぞれによって生体認証対応処理装置を用いて注文料理およびその個数（注文内容）が入力されると，そのときに生体情報によって注文をしたメンバが特定され，いずれのメンバによる注文であるかを区別した態様で，すなわち生体情報に関連付けて，注文内容を記憶装置に記憶することができる。グループ単位（テーブル単位）ではなく，メンバ単位で注文内容が管理されるので，精算処理のときに割り勘ではない精算を行うことができる。
【００３０】
この発明は，生体認証に応じた処理をコンピュータに行わせるためのプログラムも提供する。
【００３１】
第１の発明によるプログラムは，コンピュータに，ユーザによって与えられる処理命令を受付けたときに上記ユーザの生体情報を取得する処理と，取得した生体情報を用いて上記ユーザを認証する処理と，認証が成功した場合に，上記生体情報に関連付けられて記憶装置に記憶されている上記ユーザに固有の情報，たとえばサイト要求情報を上記記憶装置から読み出す処理と，を実行させることを特徴とする。認証が成功した場合に，上記生体情報に関連付けられており，かつ上記与えられる処理命令に対応する（関連づけられている）ユーザ固有情報を記憶装置から読み出すようにしてもよい。認証が成功したときに読み出される特定のユーザに固有の情報を，上記処理命令に関連するその後の処理（ログイン処理，クレジットカード決済処理など）に用いることができる。
【００３２】
第２の発明によるプログラムは，コンピュータに，ユーザによって与えられる処理命令を受付けたときに上記ユーザの生体情報を取得する処理と，取得した生体情報を用いて上記ユーザを認証する処理と，認証が成功した場合に，上記処理命令の内容を上記生体情報に関連付けて記憶装置に記憶する処理と，を実行させることを特徴とする。認証が成功した場合に，処理命令の内容，たとえば注文料理およびその個数を含む注文内容を，ユーザごとに（生体情報に関連付けて）記憶装置に記憶することができる。
【図面の簡単な説明】
【００３３】
【図１】タブレット端末装置を示す。
【図２】タブレット端末装置の電気的構成を示すブロック図である。
【図３】タブレット端末装置を含むネットワーク・システムを示している。
【図４】タブレット端末装置を含むネットワーク・システムの他の例を示している。
【図５】タブレット端末装置を含むネットワーク・システムのさらに他の例を示している。
【図６】指紋認証用データベースを示している。
【図７】タブレット端末装置の処理を示すフローチャートである。
【図８】ショッピングサイトの注文画面の一例を示す。
【図９】タブレット端末装置の処理の変形例を示すフローチャートである。
【図１０】タブレット端末装置および指紋認証装置を含む変形例のネットワーク・システムのブロック図である。
【図１１】変形例のネットワーク・システムにおいて用いられる，予約用データベースを示している。
【図１２】タブレット端末装置と指紋認証装置の処理の流れを示すフローチャートである。
【図１３】料理注文システムの全体的構成を示すブロック図である。
【図１４】注文端末装置を示す。
【図１５】指紋認証用データベースを示す。
【図１６】精算画面を示す。
【実施例】
【００３４】
図１はタブレット端末装置の外観を示している。図２はタブレット端末装置の電気的構成を示すブロック図である。
【００３５】
タブレット端末装置１の全体の動作はＣＰＵ（中央演算処理装置）21によって統括される。タブレット端末装置１が備えるＣＰＵ21その他の電気回路には，電源25，たとえばバッテリーから必要な電力が供給される。
【００３６】
タブレット端末装置１はメモリ22を備え，メモリ22にオペレーティング・システム（ＯＳ）プログラム，アプリケーション・プログラム，後述する指紋データを生成するプログラム，その他のプログラムおよびデータが記憶される。また，タブレット端末装置１はインターネット，その他のネットワークへの接続のための通信装置24を備え，通信装置24を用いてアプリケーション・プログラムおよびデータをダウンロードすることができ，ダウンロードされたプログラム等をメモリ22に記憶することができる。メモリ22から読み出されたプログラムおよびデータがＣＰＵ21において実行されることで，タブレット端末装置１は様々な処理を実行することができる。
【００３７】
タブレット端末装置１はさらに，近距離無線通信装置26，たとえばＷｉＦｉ（Wireless Fidelity ）装置，ブルートゥース（商標）装置などを含み，タブレット端末装置１から所定距離内に存在する，対応する通信機器を備える他の装置と近距離無線通信することができる。
【００３８】
タブレット端末装置１の正面に表示装置23が設けられている。表示装置23の表示画面には，アプリケーション・プログラムごとに設けられるアイコン11を含め，様々な画像，文字などが表示される。
【００３９】
表示装置23の表示画面上に，アプリケーション・プログラムの選択および起動，文字入力，項目選択，ボタンのクリックなどに用いられるタッチパネル２が形成されている。タッチパネル２は，たとえばタッチ位置の検出，指がタッチパネル２に触れたこと，タッチパネル２から指が離されたこと，指がタッチパネル２に触れた箇所から離された箇所の方向，長さ等を検知する接触センサ（図示略）と協働するように構成される。タッチパネル２上のタッチ位置，およびタップ，ダブルタップ，ロングタップ，上下左右の方向別タップ（フリック，スワイプ），ピンチなどのタッチにおける指の動きが，タッチパネル２によって検知される。
【００４０】
表示画面上に表示されるアイコン11を指でタップすることによって，ユーザは特定のアプリケーション・プログラムを選択して，そのプログラムを起動することができる。後述するように，アイコン11をタップすると，タップしたアイコン11に対応するアプリケーション・プログラムが選択されかつ起動されるだけでなく，タップした指の指紋を用いたユーザ認証（個人認証）が行われる。指紋を用いたユーザ認証に対応するアプリケーション・プログラムを，以下，「指紋認証対応アプリケーション」と呼ぶ。指紋認証対応アプリケーションによって表示画面に表示されるアイコンを，特に「指紋認証対応アイコン」と呼ぶ。
【００４１】
指紋認証のために，表示装置23の表示画面上には指紋センサ３も形成されている。
【００４２】
指紋センサ３にはたとえば静電容量型の指紋センサが用いられる。指紋センサ３を指で触れたとき，指紋に含まれる隆線と指紋センサ３の間の静電容量の方が，指紋に含まれる谷（隆線と隆線の間）と指紋センサ３との間の静電容量よりも一般に大きくなる。計測される静電容量の差を稜線と谷線との区別に用いることで指紋データ（指紋画像）が生成される。静電容量型の他，圧電型，超音波型の指紋センサを用いることもできる。表示画面全体に設けられる指紋センサの詳細については，米国特許公開公報２０１５／００３６０６５を参照されたい。
【００４３】
図３から図５はタブレット端末装置１を含むネットワーク・システムを示している。
【００４４】
表示画面に表示される指紋認証対応アイコン11が指でタップされることで，起動すべき指紋認証対応アプリケーションが選択されるとともに，指紋センサ３によって指紋が取得され（指紋データが生成され），指紋データを用いた認証処理（指紋データを用いたユーザ特定処理，指紋の比較照合処理）に進む。認証が成功し，指紋認証対応アイコン11をタップしたユーザが特定されると，特定されたユーザに固有の情報，たとえばユーザＩＤおよびパスワードを用いた処理に進む。
【００４５】
図３は，タブレット端末装置１が指紋取得処理および指紋認証処理の両方を実行するネットワーク・システムを示している。タブレット端末装置１において指紋データが取得され，かつ取得された指紋データを用いた指紋認証処理が行われる。認証が成功すると，認証された特定ユーザに固有の情報がタブレット端末装置１からネットワークを通じてサーバ31に送信される。
【００４６】
サーバ31は指紋認証対応アプリケーションに対応して設けられ，指紋認証対応アイコン11のタップによって起動される指認証対応アプリケーションの処理に基づいてタブレット端末装置１によってアクセスされるコンピュータ装置である。サーバ31にはたとえばメールサーバ，ＷＥＢサーバなどが含まれる。タブレット端末装置１から送信される特定ユーザに固有の情報が用いられて，サーバ31ではログイン処理，クレジットカード決済処理，その他の情報処理が行われる。
【００４７】
図４は，タブレット端末装置１が備える近距離無線通信装置26が用いられて無線接続される，タブレット端末装置１とは別の端末，たとえばスマートフォン32において指紋認証処理が実行されるネットワーク・システムを示している。タブレット端末装置１における指紋取得処理によって取得された指紋データはタブレット端末装置１からスマートフォン32に送信され，スマートフォン32において指紋認証処理が実行される。認証が成功すると，認証された特定ユーザに固有の情報が，スマートフォン32からタブレット端末装置１に送信される。特定ユーザに固有の情報は，上述と同様にしてサーバ31に送信され，サーバ31における処理に用いられる。
【００４８】
図５は，タブレット端末装置１とネットワーク（たとえばインターネット）を通じて接続される指紋認証装置33において指紋認証処理が実行されるネットワーク・システムを示している。タブレット端末装置１における指紋取得処理によって取得された指紋データは，ネットワークを通じてタブレット端末装置１から指紋認証装置33に送信され，そこで指紋認証処理が実行される。認証が成功すると，認証された特定ユーザに固有の情報が，指紋認証装置33からタブレット端末装置１に送信される。特定ユーザに固有の情報は，上述と同様にしてサーバ31に送信される。
【００４９】
図３から図５のネットワーク・システムの態様のうち，いずれか一つの態様によって指紋認証処理を実行するようにしてもよいし，図３から図５の態様の指紋認証処理を併存させてもよい。たとえば，指紋認証対応アプリケーションごとに，プログラム記述または設定データによって，図３から図５の態様のうちのいずれの態様によって指紋認証処理を実行するかを定めておくことができる。図３から図５のすべての態様に対応するように指紋認証対応アプリケーションを構成してもよい。この場合には，図３，図４または図５のいずれの態様によって指紋認証処理を行うかをユーザに選択させてもよいし，図３，図４，図５の順番でまたは他の順番で，指紋認証処理を順次実行し，認証が成功したときに後続の処理を終えるようにしてもよい。
【００５０】
指紋認証処理を実行する装置（図３ではタブレット端末装置１，図４ではスマートフォン32，図５では指紋認証装置33）には，指紋認証処理に必要なデータを記憶した指紋認証用データベースＤＢ１が設けられる。
【００５１】
図６は指紋認証用データベースＤＢ１の一例を示している。
【００５２】
指紋認証用データベースＤＢ１には，認証されるユーザのそれぞれについて，指紋データおよびサイト要求情報を含むデータ（これらを包括して「ユーザ固有情報」と呼ぶ）があらかじめ記憶されている。分かりやすくするために，図６に示す指紋認証用データベースＤＢ１の欄外にユーザの氏名（総研太郎，総研花子，総研春夫）を示しておく。
【００５３】
指紋データは指紋認証が行われるべき指の指紋を表す。たとえば，指紋認証対応アプリケーションをタブレット端末装置１にインストールするときに，指紋認証用データベースＤＢ１に指紋データが登録される。
【００５４】
サイト要求情報は，タブレット端末装置１からアクセスされるサイト（メールサイト，ＷＥＢサイトなど）を運営するサーバ31（メールサーバ，ＷＥＢサーバなど）が，ユーザに対して要求する情報である。ログイン処理，支払い処理などを行うときに必要とされる情報がサイト要求情報には含まれ，たとえばサイトにユーザ登録するときに指紋認証用データベースＤＢ１に登録される。サイト要求情報は，ユーザＩＤ（メールアドレス，アカウントなど）およびパスワードの組であることもあるし，これに代えてまたは加えて，クレジットカード番号，銀行の口座番号，会員番号，社員番号などが用いられることもある。
【００５５】
たとえば第１行目のユーザ固有情報を参照して，このユーザ固有情報は「総研太郎」についてのものであり，総研太郎の右手人指し指の指紋データ，総研太郎がユーザ登録しているサイトのサーバ31が要求するサイト要求情報，ここではメールサービスサイト41，ソーシャルネットワークサービスサイト42，銀行（インターネットバンキング）サイト43およびショッピングサイト44のそれぞれについてのサイト要求情報が記憶されている。ショッピングサイト44にはクレジットカード番号およびパスワードの組も記憶されている。たとえば，これらのサイト41〜44のそれぞれに対応する指紋認証対応アプリケーションがタブレット端末装置１にダウンロードされることで，各指紋認証対応アプリケーションを起動するための指紋認証対応アイコン11がタブレット端末装置１の表示装置23の表示画面に表示される。したがって各サイトのサーバ31のそれぞれが要求するサイト要求情報は，指紋認証対応アプリケーションおよび指紋認証対応アイコン11にも対応する。
【００５６】
以下に詳述するように，指紋認証対応アプリケーションの指紋認証対応アイコン11がタップされると，タップされた指の指紋データが用いられて指紋認証処理が行われる。認証が成功すると，認証に用いられた指紋データに関連付けられている一または複数のサイト要求情報のうち，タップされた指紋認証対応アイコン11（選択された指紋認証対応アプリケーション）に対応するサイト要求情報が，指紋認証用データベースＤＢ１から読み出され，ネットワークを通じてサーバ31に送信される。サイト要求情報の送信先（サーバ31のアドレス）は，たとえば選択された指紋認証対応アプリケーションによって指示される。指紋認証対応アイコン11をタップすると，それだけでサーバ31が必要とするサイト要求情報，たとえばユーザＩＤやパスワードなどをサーバ31に送信することができ，ユーザＩＤやパスワードを入力する手間を省くことができる。また，タブレット端末装置１が複数のユーザによって共用されるとしても，タブレット端末装置１を実際に使用しているユーザ（指紋認証対応アイコン11をタップしたユーザ）に固有のサイト要求情報をサーバ31に送信することができるので，あたかもそのユーザがタブレット端末装置１を専有しているかのように，タブレット端末装置１を動作させることができる。
【００５７】
図７はタブレット端末装置１を利用して指紋認証対応アプリケーションを起動するときの指紋取得および認証処理の流れを示すフローチャートである。
【００５８】
はじめにタブレット端末装置１の表示装置23の表示画面上に表示されている指紋認証対応アイコン11がタップされる（ステップ51，図１参照）。
【００５９】
指紋認証対応アイコン11がタップされると，タブレット端末装置１においてタップされた指の指紋データが生成される（ステップ52）。すなわち，指紋認証対応アイコン11は，指紋認証対応アプリケーションを選択するための領域であるとともに，指紋入力領域でもある。
【００６０】
生成された指紋データ（以下，照合指紋データという）は，指紋認証用データベースＤＢ１（図６）にあらかじめ記憶されている指紋データ（以下，登録指紋データという）と比較照合される（ステップ53）。上述したように，指紋認証処理は，タブレット端末装置１で実行してもよいし（図３），タブレット端末装置１と近距離無線通信するスマートフォン32（図４），またはタブレット端末装置１とネットワークを通じて接続される指紋認証装置33（図５）で実行することもできる。
【００６１】
照合指紋データと登録指紋データの比較照合は，たとえば画像マッチングによって行われる。照合指紋データおよび登録指紋データのそれぞれから抽出される複数の特徴点の一致の程度が判断され，照合指紋データと同一の登録指紋データが，指紋認証用データベースＤＢ１に記憶されているかどうかが判断される。
【００６２】
照合指紋データと同一の登録指紋データが見つかった場合，認証成功と判断される（ステップ54でYES ）。タップされた指紋認証対応アイコン11（選択された指紋認証対応アプリケーション）に対応するサイト要求情報が，指紋認証用データベースＤＢ１から読み出される（ステップ56）。図６を参照して，たとえば指紋認証対応アイコン11をタップしたのが「総研太郎」であり，タップされた指紋認証対応アイコン11が，メールサービスサイト41が提供する指紋認証対応アプリケーションのアイコンであるとする。この場合には，ユーザアカウント「taro@gooogle.com 」およびパスワード「12345」が指紋認証用データベースＤＢ１から読み出される。指紋認証対応アイコン11をタップしたのが「総研花子」であれば，ユーザアカウント「hana@gooogle.com 」およびパスワード「34567」が読み出される。
【００６３】
指紋認証用データベースＤＢ１から読み出されたサイト要求情報，たとえばユーザアカウントおよびパスワードは，起動命令が受け付けられた指紋認証対応アプリケーションの指示によってサーバ31に送信される（ステップ57）。たとえばメールサービスサイト41のサーバ31であれば，ユーザアカウントおよびパスワードを用いてログイン処理が行われる。ログイン処理が成功すると，サーバ31に記憶されている上記ユーザアカウント宛の受信メールがサーバ31からタブレット端末装置１に送信され，タブレット端末装置１の表示装置23の表示画面上に表示される。メールサービスサイト41が提供する指紋認証対応アプリケーションの指紋認証対応アイコン11をタップしたのが「総研太郎」であれば，「総研太郎」宛（「taro@gooogle.com」宛）の電子メールが表示される。指紋認証対応アイコン11をタップしたのが「総研花子」であれば，「総研花子」宛（「hana@gooogle.com」宛）の電子メールが表示される。このように，タブレット端末装置１が複数のユーザによって共用されているとしても，あたかも起動命令を与えたユーザの専用装置のようにタブレット端末装置１は動作する。
【００６４】
照合指紋データと同一の登録指紋データが見つからなかった，または指紋取得ができなかった場合，認証はできない（ステップ54でNO）。サイト要求情報は指紋認証データベースＤＢ１から読み出されることはなく，もちろんタブレット端末装置１からサーバ31に送信されることもない。
【００６５】
指紋認証できなかった場合には，指紋認証対応アプリケーションまたはサーバ31の処理に依存した所定の処理が実行される（ステップ55）。ユーザが特定されることを常に要求する（ユーザアカウントおよびパスワードを常に要求する）サイト，たとえばメールサービスサイトであれば，表示画面には認証できない（または接続できない）旨のメッセージが表示され，タブレット端末装置１における指紋認証対応アプリケーションの起動処理が終了する。特定ユーザによるログインを常には要求しないサイト（たとえばショッピングサイト）であれば，ゲスト用ページが表示画面に表示される。
【００６６】
上述した実施例では，指紋認証対応アプリケーションを起動するとき（指紋認証対応アイコン11をタップするとき）に指紋認証する例を説明したが，指紋認証対応アプリケーションを起動するときのみならず，ＷＥＢページにおいてクレジットカード決済（インターネット決済）を行うタイミングで，指紋取得処理および指紋認証処理を行うこともできる。
【００６７】
図８は，タブレット端末装置１の表示装置23の表示画面にショッピングサイト44の注文画面（注文確定画面）が表示されている様子を示している。ショッピングサイト44では，はじめに注文商品が選択され，最後に「注文確定」ボタン12がタップされることで，選択した商品の注文が確定されかつクレジットカード決済に進む。基本的な処理の流れは図７と同じであるので，以下の説明では図７のフローチャートを参照する。
【００６８】
注文確定ボタン12が指紋認証に対応している。注文確定ボタン12がタップされると（ステップ51），指紋取得処理および指紋認証処理が実行される（ステップ52，53）。認証が成功すると（ステップ54でYES ），タップしたユーザの指紋データに関連付けられて指紋認証用データベースＤＢ１に記憶されている，ショッピングサイト44の要求情報，たとえばクレジット番号およびパスワードが読み出されて，ショッピングサイト44のサーバ31に送信される（ステップ56，57）。クレジットカード決済のたびにクレジット番号等を入力する手間を省くことができる。
【００６９】
ショッピングサイト44にユーザ登録していない，または指紋認証用データベースＤＢ１にクレジットカード番号等を登録していないユーザ，たとえば「総研春夫」（図６参照）が注文確定ボタン12をタップした場合には（ステップ54でNO），典型的には，未登録ユーザ用のページ（ユーザ登録を勧めるページ，クレジットカード決済以外の決済方法を案内するページ，クレジットカード番号の登録を要求するページなど）が，サーバ31からタブレット端末装置１に送信され，その表示画面に表示される（ステップ55）。
【００７０】
図９はタブレット端末装置の動作の変形例を示すフローチャートである。図７に示すフローチャートの処理と同一の処理には同一の符号を付し，重複説明を避ける。
【００７１】
指紋認証が成功し，たとえば特定サイトへのログイン処理が行われたとする。ユーザによってログオフ処理が行われずにログイン状態がそのまま継続し続けられると，タブレット端末装置１が共用されて用いられる場合には特に，ログイン状態のままのタブレット端末装置１が他人によって使用される可能性がある。この変形例では，タブレット端末装置１が同一ユーザによって継続して使用されているかどうかを判断し，継続して使用されていないときにはログイン状態をやめる（ログオフする）等，終了処理を行うようにタブレット端末装置１が制御される。
【００７２】
図９を参照して，指紋取得（ステップ52）からの経過時間がタイマ（図示略）によって計測され，経過時間が所定時間を経過したかどうかが判断される（ステップ58）。経過時間が所定時間に至っていない場合には特段の処理はない（ステップ58でNO）。経過時間が所定時間に達すると（ステップ58でYES ），以下に説明する処理に進む。
【００７３】
指紋取得からの経過時間が所定時間を経過したとき，タブレット端末装置１の表示装置23の表示画面がロックされるとともに，指紋の再取得が案内される（ステップ59）。画面ロックされることで，タブレット端末装置１の表示画面はグレーアウトされ，以下に説明する指紋の再取得以外の操作ができなくなる。
【００７４】
指紋の再取得の案内は，たとえば，先にタップされた指紋認証対応アイコン11と同じアイコン11と「アイコンをタップして下さい」といった案内文とを表示画面上に表示することで行われる。
【００７５】
指紋の再取得の案内が表示されたときからの経過時間がタイマによって計測される（ステップ60）。指紋の再取得案内が表示されてから所定時間内に指紋認証対応アイコン11が再タップされないとき（ステップ60でNO），タブレット端末装置１を用いて指紋認証対応アプリケーションを起動したユーザは，指紋認証対応アプリケーションを終了せずに，さらにたとえばログイン状態を放置したままで，離席している可能性がある。所定時間内に指紋認証対応アイコン11が再タップされない場合，タブレット端末装置１は所定の終了処理を実行する（ステップ61）。典型的には，起動している指紋認証対応アプリケーションを終了する。他人による悪用等を防止することができる。
【００７６】
指紋の再取得案内が表示されて所定時間内に指紋認証アイコン11が再タップされた場合（ステップ60でYES ），指紋センサ３によって指紋データが新たに取得され（ステップ62），新たに取得された指紋データと，先に取得されている指紋データ（ステップ52において取得された指紋データ）とが比較照合される（ステップ63）。
【００７７】
新たに取得された指紋データと先に取得された指紋データが同じであれば，同一ユーザが継続してタブレット端末装置１を使用し続けていると言える。この場合には画面ロックが解除されることになる（ステップ64でYES，ステップ66）。
【００７８】
新たに取得された指紋データと先に取得された指紋データが異なる場合，タブレット端末装置１の使用ユーザが別のユーザに代わった可能性がある。この場合にも所定の終了処理が行われ，たとえば起動している指紋認証対応アプリケーションが終了される（ステップ64でNO，ステップ65）。不正利用等を防止することができる。
【００７９】
図１０は，タブレット端末装置および指紋認証装置を含むネットワーク・システムの変形例を示している。このネットワーク・システムは，ネットワークを通じて互いに接続される，多数のタブレット端末装置１と指紋認証装置33とから構成される。
【００８０】
図１１は，図１０に示すネットワーク・システムの指紋認証装置33の記憶装置に記憶される，予約用データベースＤＢ２を示している。
【００８１】
予約用データベースＤＢ２は，予約ごとに，予約ユーザの指紋データ，使用端末識別情報，使用許可日時範囲およびクレジット情報（クレジットカード番号およびパスワード）を表すデータを含む。
【００８２】
たとえば，ユーザが飲食店に宴会の予約をしたときに，飲食店からユーザに対して，料金を精算するときに使用する，飲食店に設置されるタブレット端末装置１に固有の端末識別情報，および予約日時が知らされる。ユーザは，飲食店から知らされたタブレット端末装置１の端末識別情報および予約日時範囲を，指紋データとともに予約用データベースＤＢ２に登録する。料金支払いに用いるクレジットカードの番号およびパスワードも登録する。予約用データベースＤＢ２に登録されるタブレット端末装置１に固有の端末識別情報には，たとえばタブレット端末装置１（または通信装置24）に固有のＭＡＣアドレスを用いることができる。
【００８３】
図１２は飲食店において精算処理をするときのタブレット端末装置１および指紋認証装置33の処理の流れを示すフローチャートである。
【００８４】
飲食店を訪問したときに，ユーザにはタブレット端末装置１が渡される（貸与される）。このときに渡されるタブレット端末装置１は，予約時に飲食店によってユーザに知らされ，予約用データベースＤＢ２にユーザが登録した端末識別情報（ＭＡＣアドレス）を持つタブレット端末装置１である。
【００８５】
精算処理をするときに，タブレット端末装置１の表示装置23の表示画面上に表示されている「精算」ボタン（図１０参照）がタップされる（ステップ71）。精算ボタンが指紋認証に対応する。
【００８６】
精算ボタンがタップされることで，上述と同様にして，タブレット端末装置１ではタップされた指の指紋データが生成される（ステップ72）。指紋データは，タブレット端末装置１の端末識別情報（ＭＡＣアドレス）とともに，ネットワークを通じて指紋認証装置33に送信される（ステップ73）。
【００８７】
指紋データおよび端末識別情報を受信した指紋認証装置33では，受信した指紋データ（照合指紋データ）が，予約用データベースＤＢ２（図１１）に記憶されている指紋データ（登録指紋データ）と比較照合される（ステップ81，82）。
【００８８】
照合指紋データと同一の登録指紋データが見つかった場合（ステップ82でYES ），さらに，タブレット端末装置１から送信された端末識別情報と同一の端末識別情報が，見つかった登録指紋データと関連付けられて記憶されているかどうかが判断され（ステップ83），さらに現在時刻（たとえば指紋データおよび端末識別情報を受信したとき）が，見つかった登録指紋データと関連付けられている使用許可日時範囲内であるかどうかが判断される（ステップ84）。
【００８９】
指紋を用いた認証が成功し（ステップ82でYES ），使用されている（ユーザが精算ボタンをタップした）タブレット端末装置１が予定されている端末装置であり（ステップ83でYES ），さらに現在時刻が使用許可日時範囲内であれば（ステップ84でYES ），認証された指紋データに関連付けられて予約用データベースＤＢ２に記憶されているクレジットカード番号およびパスワードが読み出され，タブレット端末装置１に送信される（ステップ85，86）。タブレット端末装置１では受信したクレジットカード番号およびパスワードを用いてクレジットカード決済処理が行われる（ステップ74）。
【００９０】
照合指紋データと同一の登録指紋データが見つからなかった場合（ステップ82でNO），使用されているタブレット端末装置１が予定されている端末装置でない場合（端末識別情報が不一致の場合）（ステップ83でNO），または現在時刻が使用許可日時範囲外である場合（ステップ84でNO），クレジットカード番号およびパスワードは予約用データベースＤＢ２から読み出されず，所定の処理が実行される（ステップ87）。たとえばクレジットカード決済ができない旨がタブレット端末装置１に表示される。
【００９１】
ユーザは，クレジットカードを所持しなくても，クレジットカードによる決済を行うことができる。また，指紋認証に加えて，特定のタブレット端末装置１が用いられること，さらには特定の日時範囲内にクレジットカード決済が行われることも要求されるので，不正使用が生じにくく，取引の安全性を保つことができる。
【００９２】
上述した実施例では，指紋認証対応アイコン11（図１），指紋認証対応注文確定ボタン12（図８），指紋認証対応精算ボタン（図１０）をタップするユーザの指紋を取得して指紋認証することで，タブレット端末装置１を使用しているユーザを特定し，ログイン処理，決済処理のときにユーザＩＤ，パスワード，クレジットカード番号などを入力する手間を省くことができるようにしている。指紋取得処理および指紋認証処理は，ログイン処理や決済処理のみならず，様々な用途に用いることができる。
【００９３】
図１３は料理注文システムの全体的構成を示すブロック図である。図１４は料理注文システムを構成する注文端末装置の表示画面例を示している。
【００９４】
料理注文システムは，ネットワークに接続された複数の注文端末装置４とプリンタ６とを含む。
【００９５】
注文端末装置４は，たとえば飲食店に設けられているテーブルごとに設置され，各テーブルからの料理の注文を受付ける装置である。図１４を参照して，注文端末装置４の表示画面には料理名，数量および注文ボタンを含む注文画面が表示される。注文端末装置４の表示画面をタップすることで，料理を注文することができる。注文端末装置４を用いて受け付けられた注文内容は，たとえば厨房に設置されるプリンタ６から出力され，これに基づいて注文された料理が調理される。注文端末装置４は上述したタブレット端末装置１と基本的に同じ電気的構成を有しており（図２参照），その表示装置23の表示画面にはタッチパネル２および指紋センサ３が形成されている。
【００９６】
注文画面の注文ボタン13がタップされるときに，指紋取得処理および指紋認証処理が行われる。すなわち，注文ボタン13が指紋認証対応のものである。指紋認証対応注文ボタン13がタップされると，タップしたユーザの指紋が取得されて指紋データが生成され，生成された指紋データを用いた指紋認証処理が行われる。
【００９７】
図１５は，料理注文システムにおける指紋認証処理に用いられる指紋認証用データベースＤＢ３の内容を示している。図１３に示すように，指紋認証用データベースＤＢ３は，注文端末装置４のメモリに記憶される。もっとも，注文端末装置４とネットワーク接続される別の処理装置の記憶装置に記憶させてもよい。
【００９８】
指紋認証用データベースＤＢ３には，店舗に設置されるテーブルごとにデータテーブルが作成され，テーブルに着席する出席メンバのそれぞれについての指紋データ，氏名（ニックネーム）および注文品情報を含むデータが記憶される。指紋データおよび氏名（ニックネーム）は料理を注文する前に各メンバによって登録される。
【００９９】
注文端末装置４が用いられて料理の注文が行われることで，指紋認証用データベースＤＢ３のデータテーブルには注文品情報が登録される。
【０１００】
指紋認証対応注文ボタン13がタップされるときに指紋取得処理および指紋認証処理が行われるので，料理を注文すれば（指紋認証対応注文ボタン13をタップすれば），それだけで料理を注文したメンバを特定することができる。テーブルを単位とする注文品およびその個数のみならず，テーブルに着席しているメンバのそれぞれを単位にして，注文品およびその個数が記録されることになる。
【０１０１】
図１６は注文端末装置４に表示される精算画面（会計画面）を示している。上述したように，指紋認証用データベースＤＢ３にはメンバごとの注文品およびその個数（注文実績）が記録されているので，メンバのそれぞれの注文実績に基づいて，自分が注文した料理の分だけの合計額を表示することができる。
【０１０２】
上述した実施例では，指紋を用いてユーザを認証しているが，指紋認証に代えて，声紋認証，掌紋認証，静脈認証，虹彩認証等を利用してもよい。たとえば，声紋認証であれば，タブレット端末装置１にはマイクロフォンが設けられ，声紋認証対応アプリケーションの起動命令が声（発声）によって与えられる。発声音を用いた声紋認証により，起動命令を発声したユーザが特定される。
【符号の説明】
【０１０３】
１  タブレット端末装置
２  タッチパネル
３  指紋センサ
４  注文端末装置
22  メモリ
23  ＣＰＵ
24  通信装置
26  近距離無線通信装置
31  サーバ
32  スマートフォン
33  指紋認証装置
ＤＢ１，ＤＢ３  指紋認証用データベース
ＤＢ２  予約用データベース
【図１】
2017033499.tif 000003
【図２】
2017033499.tif 000004
【図３】
2017033499.tif 000005
【図４】
2017033499.tif 000006
【図５】
2017033499.tif 000007
【図６】
2017033499.tif 000008
【図７】
2017033499.tif 000009
【図８】
2017033499.tif 000010
【図９】
2017033499.tif 000011
【図１０】
2017033499.tif 000012
【図１１】
2017033499.tif 000013
【図１２】
2017033499.tif 000014
【図１３】
2017033499.tif 000015
【図１４】
2017033499.tif 000016
【図１５】
2017033499.tif 000017
【図１６】
2017033499.tif 000018